(57)【要約】【課題】  製造工程を簡素化し、製造コストを低減することが可能な移動物体検出装置を提供する。【解決手段】  検出部１は、磁気変化を検出する。成型体５は、外部引出し用の端子２を有するコネクタ部３が一体的に樹脂によって成型されたものである。キャップ部８は、検出部１を覆う。パッキン部材７は、成型体５とキャップ部８との間に配設される。固定部材１１は、キャップ部８を成型体８に固定する。突き当て部９は、キャップ部８の内壁に設けられ、パッキン部材７と突き当たる。貫通穴部１０は、キャップ部８における外壁の第一の箇所に設けられた第一の穴部８ｂから成型体５に設けられた第二の穴部４ａを介して第一の箇所と相対する第二の箇所に設けられた第三の穴部８ｄに達する。固定部材１１は、貫通穴部１０に挿通されるピンからなる。【選択図】  図１
2011007704.tif 000002
【特許請求の範囲】
【請求項１】
磁気変化を検出する検出部と、外部引出し用の端子を有するコネクタ部が一体的に樹脂によって成型された成型体と、を有する移動物体検出装置であって、
前記検出部を覆うキャップ部と、前記成型体と前記キャップ部との間に配設されたパッキン部材と、前記キャップ部を前記成型体に固定する固定部材と、を備えたことを特徴とする移動物体検出装置。
【請求項２】
前記キャップ部の内壁に設けられ前記パッキン部材と突き当たる突き当て部と、前記キャップ部における外壁の第一の箇所に設けられた第一の穴部から前記成型体に設けられた第二の穴部を介して前記第一の箇所と相対する第二の箇所に設けられた第三の穴部に達する貫通穴部と、前記貫通穴部に挿通されるピンからなる前記固定部材と、を備え、
前記成型体に前記キャップ部を被せると共に、前記パッキン部材を圧縮状態にて保持し前記第一の穴部及び前記第三の穴部と前記第二の穴部とを合わせることで前記貫通穴部を構成した後、前記貫通穴部に前記ピンを挿通させ前記パッキン部材の反発力によって前記ピンが前記貫通穴部に留まることで前記キャップ部が前記成型体に固定されてなることを特徴とする請求項１に記載の移動物体検出装置。
【請求項３】
前記ピンは弾性材料からなり、前記貫通穴部に圧入されることを特徴とする請求項２に記載の移動物体検出装置。
【請求項４】
前記キャップ部の内壁に設けられ前記パッキン部材と突き当たる突き当て部と、前記キャップ部に設けられた第一の溝部と、前記成型体に設けられた第二の溝部と、前記第一の溝部と前記第二の溝部を合わせた状態で構成される取付部に保持される前記固定部材と、を備え、
前記成型体に前記キャップ部を被せると共に、前記パッキン部材を圧縮状態にて保持し前記第一の溝部及び前記第二の溝部とを合わせることで前記取付部を構成した後、前記取付部に前記固定部材を圧入させ前記パッキン部材の反発力によって前記固定部材が前記取付部に留まることで前記キャップ部が前記成型体に固定されてなることを特徴とする請求項１に記載の移動物体検出装置。
【発明の詳細な説明】
【技術分野】
【０００１】
本発明は、被検出体の移動を検出する移動物体検出装置に関するものである。
【背景技術】
【０００２】
従来より、移動物体検出装置が種々提案されており、例えば特許文献１に開示されている。斯かる移動物体検出装置は、磁気変化を検出するセンシング部を備える検出部と、外部引出し用の端子を有するコネクタ部とが一体的に樹脂によって成型された成型体とを有するものである。移動物体検出装置は、センシング部の収納室と外部引出し用の端子のリセプタクル部とが一体的に樹脂によってモールド成型された回転検出器のセンサ本体にあって、外部引出し用の端子の中間部分を１次モールド成型した後、その１次成型体の外側を２次モールド成型してセンサ本体を形成すると共に、センシング部の露出された箇所を金属製のカバー体で覆い、このカバー体を加締め加工を施すことによって、カバー体をセンサ本体に固定する構造となっている。
【先行技術文献】
【特許文献】
【０００３】
【特許文献１】特開平１１−３２５９６１号公報
【発明の概要】
【発明が解決しようとする課題】
【０００４】
しかしながら、このような移動物体検出装置は、１次モールド成型及び２次モールド成型及びカバー体の加締め加工が必要となり、製造工程を複雑であるだけでなく、製造コストが高いという問題を有している。
本発明は、この問題に鑑みなされたものであり、製造工程を簡素化し、製造コストを低減することが可能な移動物体検出装置を提供するものである。
【課題を解決するための手段】
【０００５】
本発明は、磁気変化を検出する検出部１と、外部引出し用の端子２を有するコネクタ部３が一体的に樹脂によって成型された成型体５と、を有する移動物体検出装置であって、前記検出部１を覆うキャップ部８と、前記成型体５と前記キャップ部８との間に配設されたパッキン部材７と、前記キャップ部８を前記成型体８に固定する固定部材１１，２１と、を備えたものである。
【０００６】
また、本発明は、前記キャップ部８の内壁に設けられ前記パッキン部材７と突き当たる突き当て部９と、前記キャップ部８における外壁の第一の箇所に設けられた第一の穴部８ｂから前記成型体５に設けられた第二の穴部４ａを介して前記第一の箇所と相対する第二の箇所に設けられた第三の穴部８ｄに達する貫通穴部１０と、前記貫通穴部１０に挿通されるピンからなる前記固定部材１１と、を備え、前記成型体５に前記キャップ部８を被せると共に、前記パッキン部材７を圧縮状態にて保持し前記第一の穴部８ｂ及び前記第三の穴部８ｄと前記第二の穴部４ａとを合わせることで前記貫通穴部１０を構成した後、前記貫通穴部１０に前記ピンを挿通させ前記パッキン部材の反発力によって前記ピンが前記貫通穴部１０に留まることで前記キャップ部８が前記成型体５に固定されてなるものである。
【０００７】
また、本発明は、前記ピン１１は弾性材料からなり、前記貫通穴部１０に圧入されるものである。
【０００８】
また、本発明は、前記キャップ部８の内壁に設けられ前記パッキン部材７と突き当たる突き当て部９と、前記キャップ部８に設けられた第一の溝部８ｆと、前記成型体５に設けられた第二の溝部４ｂと、前記第一の溝部８ｆと前記第二の溝部４ｂを合わせた状態で構成される取付部２０に保持される前記固定部材２１と、を備え、前記成型体５に前記キャップ部８を被せると共に、前記パッキン部材７を圧縮状態にて保持し前記第一の溝部８ｆ及び前記第二の溝部４ｂとを合わせることで前記取付部２０を構成した後、前記取付部２０に前記固定部材２１を圧入させ前記パッキン部材７の反発力によって前記固定部材２１が前記取付部２０に留まることで前記キャップ部８が前記成型体５に固定されてなるものである。
【発明の効果】
【０００９】
２次モールド成型及び加締め工程が不要になり、移動物体検出装置の製造工程が簡素化され、製造コストを低くすることができる。
【図面の簡単な説明】
【００１０】
【図１】本発明の第一実施形態を示す断面図。
【図２】同上実施形態を示す断面図。
【図３】本発明の第二実施形態を示す断面図。
【図４】同上実施形態を示す断面図。
【発明を実施するための形態】
【００１１】
以下、添付図面に基づいて、本発明の一実施形態を説明する。図１及び図２は、第一実施形態を示すものである。
【００１２】
移動物体検出装置は、磁気変化を検出する検出部１と、外部引出し用の端子２を有するコネクタ部３及びコネクタ部３に繋がる胴部４が一体的に樹脂によって成型された成型体５と、胴部４に設けられた配設部６に配設されたパッキン部材７と、検出部１を覆うと共に胴部４に達するように設けられた樹脂材料からなるキャップ部８と、キャップ部８を成型体５に固定する弾性材料からなるピン（固定部材）１１と、を備えている。
【００１３】
検出部１は、センシング部１ａ及び回路基板１ｂを有しており、被検出体の回転を検出する。検出部１は、被検出体の回転に伴う磁力の変化を電気信号に変換し、端子２を介して外部に出力する。端子２は屈曲形成された３本のリードフレームからなり、回路基板１ｂと電気的に接続されている。コネクタ部３は、検出部１からの出力を外部機器へ接続伝達する。成型体５は、コネクタ部３及び胴部４を一体的に成型した構造体であり、この成型体５に検出部１が固定される。成型体５の胴部４には配設部６が形成されており、この配設部６にパッキン部材７が配設されている。成型体５の胴部４には、ピン１１が挿通される第二の穴部４ａが形成されている。
【００１４】
キャップ部８の内壁には突き当て部９が形成されており、この突き当て部９がパッキン部材７に突き当たる。キャップ部８における外壁の第一の箇所には第一の穴部８ｂが形成され、第二の箇所には第三の穴部８ｄが形成されている。貫通穴部１０は第一の穴部８ｂから胴部４の第二の穴部４ａを介して第三の穴部８ｄに達するものであり、この貫通穴部１０にピン１１が挿通されている。キャップ部８には環状の溝部が形成されており、この溝部にＯリング１２が装着されている。
【００１５】
成型体５にキャップ部８を被せて、パッキン部材７を圧縮状態にて保持し、第一の穴部８ｂ及び第三の穴部８ｄと第二の穴部４ａとを合わせることで貫通穴部１０を構成した後、この貫通穴部１０にピン１１を挿通させパッキン部材７の反発力によってピン１１が貫通穴部１０に留まることでキャップ部８が成型体５に固定される。
【００１６】
図３及び図４は第二実施形態を示すものである。第二実施形態は、第一実施形態と同一または相当箇所に同一の符号を付し、その詳細な説明を省略する。
キャップ部８には第一の溝部８ｆが形成され、成型体５の胴部４には第二の溝部４ｂが形成されている。取付部２０は、第一の溝部８ｆと第二の溝部４ｂを合わせた状態で構成される。固定部材２１はＥリングからなるものであり、この固定部材２１は、取付部２０に固定される。
【００１７】
成型体５にキャップ部８を被せて、パッキン部材７を圧縮状態にて保持し、第一の溝部８ｆと第二の溝部４ｂとを合わせることで取付部２０を構成した後、この取付部２０に固定部材２１を圧入させパッキン部材７の反発力によって固定部材２１が取付部２０に留まることでキャップ部８が成型体５に固定される。
【００１８】
第一，第二実施形態によれば、従来のような２次モールド成型及び加締め工程が不要になり、移動物体検出装置の製造工程が簡素化され、製造コストを低くすることができる。
【符号の説明】
【００１９】
１    検出部
２    端子
３    コネクタ部
４ａ  第二の穴部
４ｆ  第二の溝部
５    成型体
７    パッキン部材
８    キャップ部
８ｂ  第一の穴部
８ｄ  第三の穴部
８ｆ  第一の溝部
１０    貫通穴部
１１    ピン（固定部材）
２０    取付部
２１    固定部材
【図１】
2011007704.tif 000003
【図２】
2011007704.tif 000004
【図３】
2011007704.tif 000005
【図４】
2011007704.tif 000006